(57)【要約】【課題】防水パンの浴槽設置部側が、洗い場側より一段低く形成された浴室ユニットの設置施工の際の邪魔にならず、また、封水機能を備え、逆流も効果的に防止されるコンパクトな排水機構の提供を目的とする。【解決手段】洗い場３０側の防水パンＰの下側に、この洗い場からの排水が流れ込む第一の排水トラップ１を設けると共に、浴槽設置部３１側の防水パンの下側に、この浴槽設置部に溢れた湯水を集め、かつ浴槽からの排水が導水管６を介して流れ込む第二の排水トラップ２を設けた。そして、上記第一の排水トラップと第二の排水トラップの排水管を合流させ、上記第二の排水トラップの内部には、浴槽からの排水と防水パンからの排水を分離し、洗い場側の防水パン上に排水が逆流する妨げとなる隔壁２３を設けた。【選択図】図３
2005282123.tif 000002
【特許請求の範囲】
【請求項１】
洗い場側より浴槽設置部側を一段低くした浴室防水パンの下側に設置され、浴槽と洗い場からの排水及び防水パンの浴槽設置部に溢れた湯水を排出するための浴室ユニットの排水構造であって、
洗い場側の防水パンの下側には、この洗い場からの排水が流れ込む第一の排水トラップが設けられ、
浴槽設置部側の防水パンの下側には、この浴槽設置部に溢れた湯水を集め、かつ浴槽からの排水が導水管を介して流れ込む第二の排水トラップが設けられ、
上記第一の排水トラップと第二の排水トラップは、それぞれに連通した排水管が途中で合流することにより、互いに連通し、かつこの第二の排水トラップの封水面の位置が、前記第一の排水トラップの封水面の位置よりも低く設定されたことを特徴とする浴室ユニットの排水構造。
【請求項２】
上記第二の排水トラップの内部に、浴槽からの排水と防水パンからの排水を分離する隔壁が設けられたことを特徴とする請求項１記載の浴室ユニットの排水構造。
【発明の詳細な説明】
【技術分野】
【０００１】
本発明は、洗い場側より浴槽設置部側を一段低くした浴室防水パンの下側に設置され、浴槽と洗い場からの排水、及び防水パンの浴槽設置部に溢れた湯水を排出するための浴室ユニットの排水構造に関する。
【背景技術】
【０００２】
一般に浴室ユニットでは、跨ぎ込み高さを考慮して浴槽が低く設置されるようになっており、そのため浴室ユニットの床面を構成した防水パンは、浴槽が設置される浴槽設置部側が、洗い場側より一段低く形成されている。そして、この防水パンの下側には、浴槽と洗い場からの排水、及び防水パンの浴槽設置部に溢れた湯水を排出するための排水設備が設けられている。
【０００３】
ここにおいて、従来この種の排水設備としては、図５に示したように、防水パンＰの浴槽設置部４０に設けられた排水口４０ａに浴槽４２の排水管４３を引き込み、かつ、この排水口４０ａに一端が接続されたＵ字管状のトラップ本体４４の他端側を、洗い場４１の排水口４１ａの下方まで延出し、このトラップ本体４４の上向きに開口した箇所（図５において右側）に、洗い場４１の排水口４１ａの下方に突出した導水管４５の下端を挿入し、これらで封止水が貯留される排水トラップを構成し、ここから溢れた排水は、このトラップ本体４４と横方向に連通した排水パイプ４６から浴室ユニットの外部に排出するようにした構造のものがあった。
【０００４】
なお、このように浴槽側と洗い場側からの排水を、共通の排水トラップを通過させて排出するようにしたものは、高い位置に設けられた洗い場４１側からの排水が、浴槽設置部側４０に逆流するおそれがあり、そのため、管路あるいは排水トラップ内部の適所に逆止弁４７，４８が設けられていた。（例えば、特許文献１参照）。
【０００５】
また、この他に洗い場の下側に設けられた排水設備とは別に、浴槽の排水口と床パンの排水口にそれぞれ排水管を接続し、かつ、この両排水管の途中を上向き凸状に屈曲することにより、排水管自体をトラップとして機能させるようにした構造のものもあった。（例えば、特許文献２参照）。
【特許文献１】特許第３２６２１０５号公報（第４−６頁、第１図）
【特許文献２】特開平１０−１７６３５５号公報（第３−４頁、第１図）
【発明の開示】
【発明が解決しようとする課題】
【０００６】
上述した従来の浴室ユニットの排水構造のうち、前者の特許第３２６２１０５号公報に示されたものは、洗い場側からの排水が浴槽設置部側に逆流することを防止するために、排水トラップ中に逆止弁を組み込まなくてはならないため、構造が複雑で製造コストが高くなるという問題点があった。また、この逆止弁は、その機能を維持するために、定期的にメンテナンスや交換をすることが望ましいが、防水パン下側の狭小な箇所に設けられているため、作業が困難で煩わしく、一般には殆ど行われていないのが実情である。そのために洗い場からの排水が浴槽設置部側に逆流しても気づかないことが多く、内部が不潔になりがちであり、カビが生じたり、悪臭を放つなどの問題を生じるおそれもあった。
【０００７】
また、後者の特開平１０−１７６３５５号公報に示されたものは、洗い場側と浴槽側の排水設備を別系統としているため、洗い場からの排水が浴槽設置部側に逆流するおそれは無いが、それぞれに排水管を設けなくてはならないため、浴室防水パンの下方に広い敷設スペースを必要とすると共に、その設置施工にも手間を要するという問題点があった。また、浴槽と床パンからの排水は、排水管を屈曲して形成された管トラップで封水されるようになっているので、構成が簡単で製造コストも低廉である反面、その取り付けには、凸部の防水パン底面との位置合わせという作業が必要で、かつ、二つの排水管を近接した位置でそれぞれ個別に接続しなくてはならず、設置施工に熟練や手間を要するという問題点があった。さらにこの種の管トラップは、大量の排水を円滑に導くことができないばかりか、流下した異物を捕捉する機能も低く、トラップの下流側の排水管に異物が流れて溜まり、排水の妨げになったり、場合によっては、管路が詰まるおそれさえあった。
【０００８】
本発明は、上記従来の浴室ユニットの排水構造が有する問題点の解決を課題とする。
【課題を解決するための手段】
【０００９】
上記の問題点を解決するために、本発明のうち、請求項１記載の発明は、洗い場側より浴槽設置部側を一段低くした浴室防水パンの下側に設置され、浴槽と洗い場からの排水及び防水パンの浴槽設置部に溢れた湯水を排出するための浴室ユニットの排水構造であって、洗い場側の防水パンの下側に、この洗い場からの排水が流れ込む第一の排水トラップを設けると共に、浴槽設置部側の防水パンの下側に、この浴槽設置部に溢れた湯水を集め、かつ浴槽からの排水が導水管を介して流れ込む第二の排水トラップを設けた。そして、上記第一の排水トラップと第二の排水トラップを、それぞれに連通した排水管を途中で合流させることにより、互いに連通させ、かつ、この第二の排水トラップの封水面の位置を、前記第一の排水トラップの封水面の位置よりも低く設定したことを特徴とする。
【００１０】
請求項２記載の発明は、上記請求項１記載の発明の構成に、第二の排水トラップの内部に、浴槽からの排水と防水パンからの排水を分離する隔壁を設けた構成を加えたことを特徴とする。
【発明の効果】
【００１１】
本発明のうち、請求項１記載の発明では、防水パンの洗い場側と浴槽設置部側にそれぞれ排水トラップを設け、それぞれの排水トラップと連通した排水管を途中で合流させることとしているので、一つの排水トラップを洗い場と浴槽設置部にまたがって設けるものに比し、設置施工が容易であり、かつ、異なる機種への対応自由度も高い。また、洗い場側の排水トラップを、浴槽設置部側の排水トラップよりも高い位置に設けることができるので、浴室ユニットの架台や建物側のスラブなどと干渉するおそれも少なく、この面からも設置施工性が向上するという効果がある。
【００１２】
請求項２記載の発明では、第二の排水トラップの内部に、浴槽からの排水と防水パンからの排水を分離する隔壁を設けているので、洗い場からの排水が低い位置に設けられた防水パン上に逆流することが効果的に防止されるという効果がある。
【発明を実施するための最良の形態】
【００１３】
以下、本発明を図示した実施の形態に基づき詳細に説明する。
【００１４】
図１は、本発明に係る浴室ユニットの排水構造を示した要部斜視図、図２は、図１の拡大平面図である。ここにおいて、この排水構造が採用される対象となる浴室ユニット（図示せず）は、図３並びに図４に示したように、床面を構成した防水パンＰの浴槽設置部３１側が、その上側に設置された浴槽（図示せず）の跨ぎ込み高さを考慮して、隣接した洗い場３０側より一段低く設定されている。そして、前記洗い場３０は、浴槽設置部３１に向かって下り傾斜となるように勾配がつけられ、浴槽設置部３１近傍の流水面の最も低い位置に排水口３０ａが設けられ、この排水口３０ａ近傍の浴槽設置部３１側にも同様に排水口３１ａが設けられている。また、この排水口３１ａには、浴槽設置部３１上に設けられた浴槽からの排水を流せるように、浴槽の排水口（図示せず）に連結された導水管６（エルボ）の下端が挿入されている。
【００１５】
そして、本発明では、上記両排水口３０ａ，３１ａの下側にそれぞれ、浴室ユニット外に引き出された図示しない排水管の下流側からの虫や臭気の侵入を封止するための封水溜りを形成する第一の排水トラップ１と、第二の排水トラップ２が設けられている。
【００１６】
洗い場３０側に設けられた第一の排水トラップ１は、トラップ本体１１と、このトラップ本体１１を排水口３０ａに取り付けるためのリング状の取付具１４と、トラップ本体１内に吊り下げ支持された封水筒１２と、この封水筒１２の下側を覆うように設けられた封水受１３と、目皿１５とから構成され、封水受１３を越流する位置を封水面Ｌ１として、その内部に封水溜りが形成されるようにしている。
【００１７】
また、上記トラップ本体１１には、その側方に排水管３が連通するように取り付けられ、下り勾配をつけて配置されたこの排水管３の下流側には、後述する他方側の排水トラップ２からの排水を合流させるためのチーズと称される合流管５が連結されている。
【００１８】
浴槽設置部３１側に設けられた第二の排水トラップ２は、出口２６側が上方に屈曲され、内部に排水路２３ａ，２３ｂを区分する隔壁２３が設けられたトラップ本体２１と、浴槽（図示せず）からの導水管６が貫通し、前記トラップ本体２１の上面を塞ぐように取り付けられるトラップ蓋２２とからなり、このトラップ蓋２２には、前記隔壁２３で区分された一方の排水路２３ｂを防水パンＰの上側と連通させる開口２４が設けられている。また、この排水トラップ２の上向きに屈曲された出口２６側には、排水が越流する凸部２５が設けられ、この凸部２５の上端を封水面としてトラップ本体２１内に封水溜りが形成されるようにしている。なお、この凸部２５は、その上端が浴槽設置部３１の表面より低い位置となるように設定されている。また、上記排水トラップ２の出口２６は、フレキシブル管などの連結管４を介して上記合流管５に連結されている。
【００１９】
本発明の浴室ユニットの排水構造は、上記の構造を有している。
【００２０】
次にその機能について述べると、まず洗い場３０を使用した際に流された湯水は、排水口３０ａに向かって下り勾配がつけられた洗い場３０の表面の傾斜にしたがって排水口３０ａへと流れ、排水口３０ａから封水筒１２の内部に流下し、この封水筒１２の内部に流れ込んだ湯水は、その周囲に設けられた封水受１３との間隙から上方へと導かれ、やがてこの封水受１３の上側に設けられたスリット状の開口１３ａを越流してトラップ本体１１内に流れ出す。この時、この越流した高さ位置を封水面Ｌ１として一定量の排水が常に内部に貯留され、排水管３との連通状態を封止するようになっている。そして、この封水面Ｌ１から溢れ出した排水は、トラップ本体１１の側方に連通した排水管３から合流管５及びこの合流管５に連結された図示しない排水管を通って浴室ユニットの外部へと導かれ、排水されるものである。
【００２１】
また、浴槽からの排水は、浴槽の底部に連通した導水管６から浴槽設置部３１の下側に設けられた排水トラップ２のトラップ本体２１内へと導かれる。この時、上記導水管６は、トラップ本体２１内の隔壁２３で区分された一方の排水路２３ａに連通しているので、排水はこの排水路２３ａ側へと流れ込む。そして、この排水路２３ａに流れ込んだ排水は、出口２６側が上方に屈曲されたトラップ本体２１内に溜まり、やがて凸部２５を越流して連結管４から合流管５に流れ、上記排水トラップ１の排水路３と合流し、その後、合流管５の下流側（図２において右側）に連結された排水管（図示せず）を通って外部に導かれるようになっている。この時、上述したようにトラップ本体２１内の排水路２３ａには、排水が貯留され、図４に示したように常に排水が満たされた状態に維持されるので、この部分で排水路の下流側から虫や臭気が浴槽内に侵入することが封止されるようになっている。
【００２２】
また、洗い場３０との境界３２を越流したり、あるいは浴槽の周囲などから防水パンＰの浴槽設置部３１上に侵入した湯水は、その表面の傾斜に沿って排水口３１ａ側に流れ、この排水口３１ａに取り付けられたトラップ蓋２２の開口２４からトラップ本体２１内の隔壁２３で区分された上記排水路２３ａの他方側の排水路２３ｂに流れ込む。そして、ここに流れ込んだ排水は、上述した他方側の排水路２３ａに流れ込んだ排水と同様に、出口２６側が上方に屈曲されたトラップ本体２１内に溜まり、やがて凸部２５を越流して連結管４から合流管５に流れ、上記排水トラップ１の排水路と合流し、その後、合流管５の下流側（図２において右側）に連結された排水管（図示せず）で外部に導かれるようになっている。この時、トラップ本体２１内の排水路２３ｂには、上述した他方側の排水路２３ａと同様に排水が貯留され、常に排水が満たされた状態に維持されて、下流側からの虫や臭気の侵入を封止するようになっている。
【００２３】
なお、上記隔壁２３は、洗い場３０からの排水が浴槽設置部３１の封水トラップ２側に逆流した際、逆流した排水が防水パンＰの上側に流れることを防止するように機能するものであるが、排水管３や連結管４の設置勾配が大きいなどの理由により、逆流するおそれが無いときは、必ずしもこの隔壁２３は設けなくても良い。
【００２４】
以上のように本発明の浴室ユニットの排水構造では、封水面Ｌ１，Ｌ２の高さが異なる二つの封水トラップ１，２を用いて、洗い場３０と浴槽、およびこの浴槽の下側に位置した防水パンＰに溢れた湯水を、ひとつの排水管に合流させて浴室ユニットの外部に排水することができる。よって、洗い場３０の下方の出っ張りを少なくすることができると共に、排水管の敷設スペースも小さくでき、浴室ユニットの設置施工性の向上が図られるものである。
【図面の簡単な説明】
【００２５】
【図１】本発明に係る浴室ユニットの排水構造を示した要部斜視図である。
【図２】図１の拡大平面図である。
【図３】設置状態の一部切欠側面図である。
【図４】封水機能を説明する簡略図である。
【図５】従来例の簡略説明図である。
【符号の説明】
【００２６】
１  第一の排水トラップ
２  第二の排水トラップ
３  排水管
４  接続管
５  合流管
６  導水管
１１，２１  トラップ本体
１２  封水筒
１３  封水受
１４  取付具
１５  目皿
２２  トラップ蓋
２３  隔壁
２３ａ，２３ｂ  排水路
２４  開口
２５  凸部
２６  出口
Ｐ  防水パン
３０  洗い場
３１  浴槽設置部
３０ａ，３１ａ  排水口
【図１】
2005282123.tif 000003
【図２】
2005282123.tif 000004
【図３】
2005282123.tif 000005
【図４】
2005282123.tif 000006
【図５】
2005282123.tif 000007